(57)【要約】【課題】データ通信に際して生じるノイズに強いアクセサリおよび撮像装置を提供する。【解決手段】撮像装置に着脱可能なアクセサリであって、前記撮像装置の２つの接点のそれぞれと接続する第１接点および第２接点と、前記第１接点を介して、前記第２接点と接続する前記撮像装置の接点の機能を特定する情報を、前記撮像装置に送信する送信部と、を備えるアクセサリ。【選択図】図５
2017151161.tif 000002
【特許請求の範囲】
【請求項１】
撮像装置に着脱可能なアクセサリであって、
前記撮像装置の２つの接点のそれぞれと接続する第１接点および第２接点と、
前記第１接点を介して、前記第２接点と接続する前記撮像装置の接点の機能を特定する情報を、前記撮像装置に送信する送信部と、
を備えるアクセサリ。
【請求項２】
請求項１に記載のアクセサリにおいて、
前記撮像装置の前記接点の機能を特定する情報とは、前記第２接点は前記撮像装置から画像信号を出力する接点であるという機能を特定する情報であり、
前記撮像装置から前記第２接点を介して前記画像信号を受信するアクセサリ。
【請求項３】
請求項１に記載のアクセサリにおいて、
前記撮像装置の前記接点の機能を特定する情報とは、前記第２接点は前記撮像装置から画像信号が入力される接点であるという機能を特定する情報であり、
前記撮像装置に対して前記第２接点を介して前記画像信号を送信するアクセサリ。
【請求項４】
請求項３に記載のアクセサリにおいて、
被写体像を撮像して前記画像信号を出力する撮像部を更に備え、
前記撮像部により出力された前記画像信号を、前記撮像装置に対して前記第２接点を介して送信するアクセサリ。
【請求項５】
請求項１に記載のアクセサリにおいて、
前記撮像装置の前記接点の機能を特定する情報とは、前記第２接点を介して前記撮像装置から第１の電源電圧を供給する接点であるという機能を特定する情報であり、
前記撮像装置から前記第２接点を介して前記第１の電源電圧の供給を受けるアクセサリ。
【請求項６】
請求項５に記載のアクセサリにおいて、
前記撮像装置から第２の電源電圧が供給される電源電圧用接点を更に備えるアクセサリ。
【請求項７】
請求項１に記載のアクセサリにおいて、
前記第２接点は、前記撮像装置の複数の接点とそれぞれ接続する複数の接点を含み、
前記撮像装置の複数の接点に割り当てることが可能な複数の機能と各接点との組合せから１つの組合せを選択するために、前記第１接点を介して前記アクセサリの種類を識別する情報を送信するアクセサリ。
【請求項８】
請求項４または請求項６または請求項７に記載のアクセサリにおいて、
前記撮像装置との通信開始を示す第１信号を前記撮像装置から入力する第３接点と、
前記第１信号の出力を促す第２信号を前記撮像装置に対して出力する第４接点とを備え、
前記第３接点と前記第４接点との間に、前記第１接点が配置されるアクセサリ。
【請求項９】
請求項８に記載のアクセサリにおいて、
前記撮像装置から出力されたデータ信号を入力する第５接点と、
所定の周期でクロック信号を入力する第６接点とを備え、
前記第３接点、前記第１接点、前記第５接点、前記第６接点、前記第４接点の順に配置されるアクセサリ。
【請求項１０】
アクセサリが着脱可能な撮像装置において、
前記アクセサリの２つの接点とそれぞれ接続する第１接点および第２接点と、
前記アクセサリから前記第１接点を介して、前記第２接点の機能を特定する情報を受信する受信部と、
を備える撮像装置。
【請求項１１】
請求項１０に記載の撮像装置において、
前記第２接点は、前記アクセサリの複数の接点とそれぞれ接続する複数の接点を含み、
前記第１接点を介して前記アクセサリの種類を識別する情報を受信し、
前記情報から、前記複数の接点に割り当てることが可能な複数の機能と各接点の組合せから１つの組合せを選択する撮像装置。
【発明の詳細な説明】
【技術分野】
【０００１】
本発明は、アクセサリおよび撮像装置に関する。
【背景技術】
【０００２】
従来、閃光装置等のカメラアクセサリを着脱可能なアクセサリシューが知られている（例えば、特許文献１を参照）。特許文献１に記載の装置には、データ通信を行う電気接点の適切な配置について十分考慮されていなかった。
【先行技術文献】
【特許文献】
【０００３】
【特許文献１】特開２００８−１８０９１４号公報
【発明の概要】
【０００４】
本発明の第１の態様によると、撮像装置に着脱可能なアクセサリは、前記撮像装置の２つの接点のそれぞれと接続する第１接点および第２接点と、前記第１接点を介して、前記第２接点と接続する前記撮像装置の接点の機能を特定する情報を、前記撮像装置に送信する送信部と、を備える。
本発明の第２の態様によると、アクセサリが着脱可能な撮像装置は、前記アクセサリの２つの接点とそれぞれ接続する第１接点および第２接点と、前記アクセサリから前記第１接点を介して、前記第２接点の機能を特定する情報を受信する受信部と、を備える。
【図面の簡単な説明】
【０００５】
【図１】第１の実施の形態に係るレンズ交換式のカメラシステムの説明図
【図２】カメラボディ、第１交換レンズ、および第１アクセサリを示す斜視図
【図３】カメラボディ、第１交換レンズ、および第１アクセサリを示す斜視図
【図４】シュー座およびコネクタの平面図
【図５】カメラボディと第１アクセサリの構成を模式的に示すブロック図
【図６】ボディ制御部とアクセサリ制御部との間で行われるデータ通信のタイミングチャート
【図７】ボディ制御部とアクセサリ制御部との間で行われるデータ通信のタイミングチャート
【図８】カメラボディと第１アクセサリの動作シーケンスを示す説明図
【図９】カメラボディと第１アクセサリの動作シーケンスを示す説明図
【図１０】カメラボディと第２アクセサリの構成を模式的に示すブロック図
【図１１】カメラボディと第３アクセサリの構成を模式的に示すブロック図
【図１２】カメラボディと第４アクセサリの構成を模式的に示すブロック図
【図１３】カメラボディと第５アクセサリの構成を模式的に示すブロック図
【図１４】カメラボディと第６アクセサリの構成を模式的に示すブロック図
【図１５】電気接点の配列の変形例を示す平面図
【発明を実施するための形態】
【０００６】
（第１の実施の形態）
図１は、第１の実施の形態に係るレンズ交換式のカメラシステムの説明図である。カメラシステム１は、カメラボディ１００、第１の交換レンズ２００ａ、第２の交換レンズ２００ｂ、第１のアクセサリ３００ａ、第２のアクセサリ３００ｂ、第３のアクセサリ３００ｃ、第４のアクセサリ３００ｄ、および第５のアクセサリ３００ｅが含まれる。
【０００７】
以下の説明において、第１の交換レンズ２００ａおよび第２の交換レンズ２００ｂを含む種々の交換レンズを交換レンズ２００と総称し、第１のアクセサリ３００ａ、第２のアクセサリ３００ｂ、第３のアクセサリ３００ｃ、第４のアクセサリ３００ｄ、および第５のアクセサリ３００ｅを含む種々のアクセサリをアクセサリ３００と総称する。
【０００８】
カメラシステム１のユーザは、カメラボディ１００に任意の交換レンズ２００を装着して利用することができる。また、カメラシステム１のユーザは、任意のアクセサリ３００を選択し、それをカメラボディ１００に装着して利用することができる。
【０００９】
第１アクセサリ３００ａは、ＥＶＦ（電子ビューファインダー）ユニットである。第２アクセサリ３００ｂは、閃光装置である。第３アクセサリ３００ｃは、ＧＰＳ（全地球測位システム）受信機である。第４アクセサリ３００ｄは、補助撮像装置である。第５アクセサリ３００ｅは、閃光装置を内蔵したＥＶＦユニットである。これらの各アクセサリについては後に詳述する。
【００１０】
図２および図３は、カメラボディ１００、第１交換レンズ２００ａ、および第１アクセサリ３００ａを示す斜視図である。第２交換レンズ２００ｂの構成は、第１交換レンズ２００ａの構成と同様であるので、説明を省略する。
【００１１】
カメラボディ１００の筐体前面１０には、第１交換レンズ２００ａが着脱可能に取り付けられるボディ側マウント部１０１が設けられている。第１交換レンズ２００ａには、ボディ側マウント部１０１に対応する、カメラボディ１００に着脱可能に取り付けられるレンズ側マウント部２０１が設けられている。
【００１２】
カメラボディ１００内のボディ側マウント部１０１後方には、例えばＣＭＯＳやＣＣＤなどの撮像素子１０２が設けられている。カメラボディ１００の筐体上面２０には、レリーズスイッチ１０３が設けられている。カメラボディ１００の筐体後面３０には、種々のボタン１０４が設けられている。ユーザはレリーズスイッチ１０３やボタン１０４等の入力装置を用いて、カメラボディ１００に撮影指示や撮影条件の設定指示等を入力する。
【００１３】
カメラボディ１００の筐体後面３０には、背面モニタ１０５が設けられている。背面モニタ１０５は、例えば液晶ディスプレイ等を用いた表示装置である。背面モニタ１０５は、例えば被写体像のライブビュー表示や、撮影設定のメニュー表示等を行う。
【００１４】
カメラボディ１００の筐体上面２０には、第１アクセサリ３００ａが着脱可能に取り付けられるアクセサリシュー（以下、シュー座１０６）が設けられている。第１アクセサリ３００ａには、シュー座１０６に対応する、カメラボディ１００に着脱可能に取り付けられるコネクタ３０１が設けられている。コネクタ３０１は、カメラボディ１００のシュー座１０６に対して着脱可能である。
【００１５】
第１アクセサリ３００ａは、いわゆる電子ビューファインダー機能を提供する。第１アクセサリ３００ａの背面４０には、ファインダー窓３０２が設けられている。第１アクセサリ３００ａ内部には、液晶パネル３０３が設けられている。ユーザは、ファインダー窓３０２を覗くことにより、液晶パネル３０３に表示された映像を視認することができる。
【００１６】
ファインダー窓３０２の近傍には、近接センサ３１６が設けられている。近接センサ３１６は、ファインダー窓３０２にユーザの顔が近接していること、すなわち、ユーザがファインダー窓３０２を覗いていることを検知する。近接センサ３１６の検知結果は、液晶パネル３０３と背面モニタ１０５のどちらにライブビュー表示等を行うかを決定するために用いられる。
【００１７】
カメラボディ１００に第１アクセサリ３００ａを装着すると、通常は背面モニタ１０５に表示される画面を、第１アクセサリ３００ａの液晶パネル３０３に表示することができる。例えば、いわゆるライブビューやメニュー画面は、通常は背面モニタ１０５に表示されるが、第１アクセサリ３００ａの液晶パネル３０３に表示させることができる。背面モニタ１０５と液晶パネル３０３は、排他的に利用したり、または同時に両方を利用したりすることができる。
【００１８】
図４（ａ）は、シュー座１０６をＹ軸正方向から見た平面図であり、図４（ｂ）は、シュー座１０６をコネクタ３０１の挿入方向（Ｚ軸正方向）から見た平面図であり、図４（ｃ）は、コネクタ３０１をＹ軸負方向から見た平面図であり、図４（ｄ）は、コネクタ３０１をシュー座１０６の方向（Ｚ軸正方向）から見た平面図である。
【００１９】
図４（ｃ）、図４（ｄ）に図示する様に、コネクタ３０１の下面１３には、２４個の電気接点ＰＡ１〜ＰＡ２４が、下面１３の端部１２に沿って、Ｘ軸方向に一列に並んで設けられている。シュー座１０６には、コネクタ３０１を挿入し固定することが可能である。「カメラボディ１００にアクセサリ３００を装着する」とは、シュー座１０６にコネクタ３０１が挿入され固定されることを指す。
【００２０】
図４（ａ）に図示する様に、シュー座１０６の上面１１の中央部には、４個の電気接点ＰＳＢ１〜ＰＳＢ４が設けられている。シュー座１０６の上面１１の端部１０には、２４個の電気接点ＰＢ１〜ＰＢ２４が、端部１０に沿って、Ｘ軸方向に一列に並んで設けられている。
【００２１】
カメラボディ１００に第１アクセサリ３００ａを装着すると、コネクタ３０１の下面１３に設けられた２４個の電気接点ＰＡ１〜ＰＡ２４の各々と、シュー座１０６の上面１１に設けられた２４個の電気接点ＰＢ１〜ＰＢ２４の各々とが、それぞれ物理的に接触する。これにより、２４個の電気接点ＰＡ１〜ＰＡ２４の各々と、２４個の電気接点ＰＢ１〜ＰＢ２４の各々とが、電気的に接続される。
【００２２】
第１アクセサリ３００ａのコネクタ３０１には、４個の電気接点ＰＳＢ１〜ＰＳＢ４に対応する電気接点が設けられていない。カメラボディ１００に第１アクセサリ３００ａを装着しても、４個の電気接点ＰＳＢ１〜ＰＳＢ４は、第１アクセサリ３００ａとは電気的に接続されない。第１アクセサリ３００ａは、４個の電気接点ＰＳＢ１〜ＰＳＢ４を介したカメラボディ１００との電気信号の入出力を行わない。
【００２３】
カメラボディ１００に設けられた２４個の電気接点ＰＢ１〜ＰＢ２４のうち電気接点ＰＢ１〜ＰＢ５を、通信用接点ＰＢ１〜ＰＢ５（データ通信を行うための電気接点ＰＢ２〜ＰＢ４を含む）と称する。同様に、第１アクセサリ３００ａに設けられた２４個の電気接点ＰＡ１〜ＰＡ２４のうち電気接点ＰＡ１〜ＰＡ５を、通信用接点ＰＡ１〜ＰＡ５（データ通信を行うための電気接点ＰＡ２〜ＰＡ４を含む）と称する。
【００２４】
カメラボディ１００に設けられた２４個の電気接点ＰＢ１〜ＰＢ２４のうち電気接点ＰＢ９〜ＰＢ２３を、画像用接点ＰＢ９〜ＰＢ２３と称する。同様に、第１アクセサリ３００ａに設けられた２４個の電気接点ＰＡ１〜ＰＡ２４のうち電気接点ＰＡ９〜ＰＡ２３を、画像用接点ＰＡ９〜ＰＡ２３と称する。
【００２５】
図５は、カメラボディ１００と第１アクセサリ３００ａの構成を模式的に示すブロック図である。カメラボディ１００は、ボディ制御部１１０および信号切替部１１１を備える。ボディ制御部１１０は、不図示のＲＯＭに予め格納された制御プログラムを読み込んで実行することにより、カメラボディ１００全体の制御を行う。
【００２６】
ボディ制御部１１０は、画像出力部１１０ａおよび画像入力部１１０ｂを備える。信号切替部１１１は、カメラボディ１００に装着されたアクセサリ３００の種別に応じて、画像出力部１１０ａおよび画像入力部１１０ｂのいずれか一方を、画像用接点ＰＢ９〜ＰＢ２３と接続する。
【００２７】
詳細は後述するが、アクセサリ３００には、画像信号を入力する機能を有するもの（例えば、第１アクセサリ３００ａ）と、画像信号を出力する機能を有するもの（例えば、後述する第４アクセサリ３００ｄ）とが存在する。画像信号を入力する機能を有するアクセサリ３００が装着されている場合、信号切替部１１１は、画像出力部１１０ａを画像用接点ＰＢ９〜ＰＢ２３と接続する。画像信号を出力する機能を有するアクセサリ３００が装着されている場合、信号切替部１１１は、画像入力部１１０ｂを画像用接点ＰＢ９〜ＰＢ２３と接続する。
【００２８】
図５に図示した第１アクセサリ３００ａは、電子ビューファインダー機能、すなわち、画像信号を入力する機能を有している。従って、信号切替部１１１は、画像出力部１１０ａを画像用接点ＰＢ９〜ＰＢ２３と接続する。ボディ制御部１１０は、撮像素子１０２（図２）により出力された撮像信号に種々の画像処理を施すことで、表示用の画像信号を作成する。画像出力部１１０ａは、この表示用の画像信号をアクセサリ３００に対して出力する。画像出力部１１０ａにより出力された画像信号は、信号切替部１１１と画像用接点ＰＢ９〜ＰＢ２３とを介してアクセサリ３００に送信される。画像入力部１１０ｂについては後に詳述する。
【００２９】
第１アクセサリ３００ａは、アクセサリ制御部３１０、信号変換部３１３、液晶パネル３０３、および近接センサ３１６を備える。アクセサリ制御部３１０は、不図示のＲＯＭに予め格納された制御プログラムを読み込んで実行することにより、第１アクセサリ３００ａ全体の制御を行う。信号変換部３１３は、前述の画像出力部１１０ａにより出力された画像信号を、液晶パネル３０３に適した画像信号に変換する。例えば信号変換部３１３には、画像用接点ＰＡ９〜ＰＡ２３を介して、カメラボディ１００から所定の信号形式の画像信号が入力される。信号変換部３１３は、入力された画像信号を、液晶パネル３０３に対応した、異なる信号形式の画像信号に変換する。信号変換部３１３は、変換した画像信号を液晶パネル３０３に入力する。液晶パネル３０３は、入力された映像信号に基づく画像（いわゆるスルー画）を表示する。
【００３０】
アクセサリ制御部３１０には、近接センサ３１６が接続されている。近接センサ３１６は、ファインダー窓３０２にユーザの顔が近接していることを検知すると、所定の割り込み信号をアクセサリ制御部３１０に出力する。
【００３１】
図５に図示した電気接点について説明する。通信用接点ＰＡ１〜ＰＡ５、ＰＢ１〜ＰＢ５は、ボディ制御部１１０とアクセサリ制御部３１０との間でデータ通信を行うための接点である。画像用接点ＰＡ９〜ＰＡ２３、ＰＢ９〜ＰＢ２３は、ボディ制御部１１０とアクセサリ制御部３１０との間で画像信号の送受信を行うための接点である。
【００３２】
なお、画像用接点ＰＡ９〜ＰＡ２３、ＰＢ９〜ＰＢ２３のうち、電気接点ＰＡ１１／ＰＢ１１、ＰＡ１４／ＰＢ１４、ＰＡ１７／ＰＢ１７、ＰＡ２１／ＰＢ２１は接地される。また、電気接点ＰＡ１８／ＰＢ１８は未使用の電気接点である。従って、実際に画像信号が送受信される電気接点は、電気接点ＰＡ９／ＰＢ９、ＰＡ１０／ＰＢ１０、ＰＡ１２／ＰＢ１２、ＰＡ１３／ＰＢ１３、ＰＡ１５／ＰＢ１５、ＰＡ１６／ＰＢ１６、ＰＡ１９／ＰＢ１９、ＰＡ２０／ＰＢ２０、ＰＡ２２／ＰＢ２２、ＰＡ２３／ＰＢ２３の計１０組の電気接点である。
【００３３】
電気接点ＰＡ７／ＰＢ７は、カメラボディ１００から第１アクセサリ３００ａに動作電力（例えば３．３Ｖ）の供給を行うための接点である。電気接点ＰＡ２４／ＰＢ２４は、カメラボディ１００が第１アクセサリ３００ａの着脱を検知するための接点である。例えば、電気接点ＰＢ２４は所定の電圧にプルアップされ、電気接点ＰＡ２４は接地される。このようにすると、第１アクセサリ３００ａが装着されているときと装着されていないときとで、電気接点ＰＢ２４の電圧レベルが変化する。ボディ制御部１１０は、電気接点ＰＢ２４の電圧レベルを参照することで、第１アクセサリ３００ａが装着されているか否かを検知する。具体的には、電気接点ＰＢ２４にはプルアップ抵抗が接続されているので、第１アクセサリ３００ａが装着されていない時は、電気接点ＰＢ２４の電圧レベルはハイレベルである。ボディ制御部１１０は、電位接点ＰＢ２４の電圧レベルがハイレベルであることを検知すると、アクセサリが未装着であると認識する。また、電気接点ＰＡ２４は設置されているので、電気接点ＰＡ２４の電圧レベルはローレベルである。そのため、第１アクセサリ３００ａが装着されると、ボディ制御部１１０は電気接点ＰＡ２４の電圧レベルがローレベルであることを検知し、第１アクセサリ３００ａが装着されたことを認識する。
【００３４】
なお、電気接点ＰＳＢ１〜ＰＳＢ４は、第１アクセサリ３００ａに使用されない電気接点であるため、ここでは説明を省略する。
【００３５】
図６および図７は、ボディ制御部１１０とアクセサリ制御部３１０との間で行われるデータ通信のタイミングチャートである。図６は、ボディ制御部１１０によりデータ通信が開始された場合のタイミングチャートであり、図７は、アクセサリ制御部３１０によりデータ通信の開始が要求された場合のタイミングチャートである。
【００３６】
図６を参照して、ボディ制御部１１０によりデータ通信が開始された場合の通信シーケンスについて説明する。無通信時、通信用接点ＰＡ１〜ＰＡ５、ＰＢ１〜ＰＢ５の信号レベルは、いずれもハイレベル（Ｈレベル）に設定されている。ボディ制御部１１０は、データ通信を開始する際、電気接点ＰＡ１，ＰＢ１にローレベル（Ｌレベル）の第１信号を出力する（時刻ｔ１）。この第１信号は、ボディ制御部１１０によるデータ通信の開始を意味する。
【００３７】
アクセサリ制御部３１０は、電気接点ＰＡ１，ＰＢ１に出力された第１信号により、ボディ制御部１１０からデータ通信が開始されたことを認識する。アクセサリ制御部３１０がデータ通信を行える状態である場合、アクセサリ制御部３１０はこの要求に応じ、電気接点ＰＡ５，ＰＢ５にＬレベルの第２信号を出力する（時刻ｔ２）。この第２信号は、アクセサリ制御部３１０によるデータ通信を開始することが可能であるという応答を意味する。
【００３８】
ボディ制御部１１０は、この第２信号に応じて、電気接点ＰＡ４，ＰＢ４にクロック信号を出力すると共に、このクロック信号に同期したデータ信号を、電気接点ＰＡ３，ＰＢ３に出力する（時刻ｔ３〜ｔ４）。ボディ制御部１１０は、データ信号としてコマンド部分とデータ部分とからなるコマンドデータを出力する。コマンド部分は、予め定められた長さ（例えば８バイト）のデータであり、データ部分は予め定められた長さ（例えば８バイト）のデータである。コマンド部分は、アクセサリ制御部３１０に対する何らかの指示を表している。またデータ部分は、コマンド部分で指示する具体的な内容（数値または設定値など）を表している。
【００３９】
アクセサリ制御部３１０は、コマンド部分の受信が完了すると、電気接点ＰＡ５，ＰＢ５にＨレベルの第３信号を出力する（時刻ｔ５）。この第３信号は、アクセサリ制御部３１０がコマンド部分における指示内容の応答を準備していることを意味する。ボディ制御部１１０は、電気接点ＰＡ５，ＰＢ５がＨレベルである間、更なるデータ通信（上記データ部分）を行わずに待機する。
【００４０】
アクセサリ制御部３１０がコマンド部分の解析を完了し、ボディ制御部１１０に送信（返送）すべきデータの準備が完了すると、アクセサリ制御部３１０は電気接点ＰＡ５，ＰＢ５にＬレベルの第４信号を出力する（時刻ｔ６）。この第４信号は、アクセサリ制御部３１０によるデータ通信の開始が可能であるという応答を意味する。
【００４１】
ボディ制御部１１０は、この第４信号に応じて、電気接点ＰＡ４，ＰＢ４にクロック信号を出力すると共に、このクロック信号に同期したデータ信号（上記データ部分）を、電気接点ＰＡ３，ＰＢ３に出力する（時刻ｔ７〜ｔ８）。このときアクセサリ制御部３１０は、クロック信号に同期したデータ信号を、電気接点ＰＡ２，ＰＢ２に出力する。つまり、時刻ｔ７〜ｔ８において、ボディ制御部１１０とアクセサリ制御部３１０との間で全二重方式のデータ通信が行われる。このとき送受信されるデータのサイズは、時刻ｔ３〜ｔ４においてボディ制御部１１０からアクセサリ制御部３１０に送信されたコマンド部分に基づき決定される。
【００４２】
アクセサリ制御部３１０は、データの送受信が完了すると、電気接点ＰＡ５，ＰＢ５にＨレベルの第５信号を出力する（時刻ｔ９）。この第５信号は、アクセサリ制御部３１０による通信が完了したという通知を意味する。ボディ制御部１１０は、電気接点ＰＡ５，ＰＢ５に出力されたこの第５信号により、データ通信が正常に完了したことを認識する。ボディ制御部１１０は、この第５信号に応じて、電気接点ＰＡ１，ＰＢ１にＨレベルの第６信号を出力する（時刻ｔ１０）。これにより、１回分のデータ通信は完了し、通信用接点ＰＡ１〜ＰＡ５、ＰＢ１〜ＰＢ５の信号レベルは無通信時のものに復帰する。
【００４３】
以上のように、アクセサリ制御部３１０は、電気接点ＰＡ１から入力する信号のレベルがＬレベルを継続している時に、電気接点ＰＡ５から出力する信号のレベルをＬレベルからＨレベルに切り替え、かつＬレベルに戻るように制御する。
【００４４】
図７を参照して、アクセサリ制御部３１０によりデータ通信が開始された場合の通信シーケンスについて説明する。アクセサリ制御部３１０は、データ通信を開始する際、電気接点ＰＡ５，ＰＢ５にローレベル（Ｌレベル）の第７信号を出力する（時刻ｔ１１）。この第７信号は、アクセサリ制御部３１０によるデータ通信の開始を要求する信号を意味する。
【００４５】
ボディ制御部１１０は、電気接点ＰＡ５，ＰＢ５に出力されたこの第７信号により、アクセサリ制御部３１０からデータ通信の開始が要求されたことを認識する。ボディ制御部１１０がデータ通信を行える状態である場合、ボディ制御部１１０はこの要求に応じ、電気接点ＰＡ１，ＰＢ１にＬレベルの第８信号を出力する（時刻ｔ１２）。この第８信号は、ボディ制御部１１０によるデータ通信の開始が可能であるという応答を意味する。つまりアクセサリ制御部３１０により電気接点ＰＡ５，ＰＢ５に出力された信号は、カメラボディ１００に対して電気接点ＰＡ１，ＰＢ１への信号の出力を促す信号である。
【００４６】
ボディ制御部１１０は、この第８信号を出力してから所定時間後に、電気接点ＰＡ４，ＰＢ４にクロック信号を出力する（時刻ｔ１３〜ｔ１４）。アクセサリ制御部３１０は、このクロック信号に同期して、コマンドデータを表すデータ信号を、電気接点ＰＡ２，ＰＢ２に出力する。ここで送信されるコマンドデータは、ボディ制御部１１０に対する何らかの指示または通知を表している。
【００４７】
アクセサリ制御部３１０は、コマンドデータの送信が完了すると、電気接点ＰＡ５，ＰＢ５にＨレベルの第９信号を出力する（時刻ｔ１５）。この信号は、アクセサリ制御部３１０が引き続いて送信するデータの準備中であることを意味する。ボディ制御部１１０は、電気接点ＰＡ５，ＰＢ５がＨレベルである間、更なるデータ通信を行わずに待機する。
【００４８】
アクセサリ制御部３１０がデータの準備を完了させると、アクセサリ制御部３１０は電気接点ＰＡ５，ＰＢ５にＬレベルの第１０信号を出力する（時刻ｔ１６）。この第１０信号は、アクセサリ制御部３１０によるデータ通信の開始が可能であるという応答を意味する。
【００４９】
ボディ制御部１１０は、この第１０信号に応じて、電気接点ＰＡ４，ＰＢ４にクロック信号を出力すると共に、このクロック信号に同期したデータ信号を、電気接点ＰＡ３，ＰＢ３に出力する（時刻ｔ１７〜ｔ１８）。このときアクセサリ制御部３１０は、クロック信号に同期したデータ信号を、電気接点ＰＡ２，ＰＢ２に出力する。つまり、時刻ｔ１７〜ｔ１８において、ボディ制御部１１０とアクセサリ制御部３１０との間で全二重方式のデータ通信が行われる。このとき送受信されるデータのサイズは、時刻ｔ１３〜ｔ１４においてアクセサリ制御部３１０が送信したコマンドデータに基づき決定される。
【００５０】
アクセサリ制御部３１０は、データの送受信が完了すると、電気接点ＰＡ５，ＰＢ５にＨレベルの第１１信号を出力する（時刻ｔ１９）。この第１１信号は、アクセサリ制御部３１０による通信が完了したという通知を意味する。ボディ制御部１１０は、電気接点ＰＡ５，ＰＢ５に出力されたこの第１１信号により、データ通信が正常に完了したことを認識する。ボディ制御部１１０は、この第１１信号に応じて、電気接点ＰＡ１，ＰＢ１にＨレベルの第１２信号を出力する（時刻ｔ２０）。これにより、１回分のデータ通信は完了し、通信用接点ＰＡ１〜ＰＡ５、ＰＢ１〜ＰＢ５の信号レベルは無通信時のものに復帰する。
【００５１】
次に、図６〜図７に図示した信号の性質を参照して、図４（ｃ）、（ｄ）に図示した各電気接点の配列について説明する。
【００５２】
一列に配列された電気接点ＰＡ１〜ＰＡ２４の紙面右側の端部には、通信用接点ＰＡ１〜ＰＡ５が配列される。通信用接点ＰＡ１〜ＰＡ５において、電気接点ＰＡ１と電気接点ＰＡ５との間に、データ通信用の電気接点ＰＡ２〜ＰＡ４が配置されている。このような配列としたのは、以下の理由からである。まず、データ通信用の電気接点ＰＡ２〜ＰＡ４は高周波信号が流れる電気接点である。一方、電気接点ＰＡ１と電気接点ＰＡ５は、データ通信のハンドシェイクのために用いられる電気接点である。このため、電気接点ＰＡ１と電気接点ＰＡ５には、電気接点ＰＡ２〜ＰＡ４に流れる信号よりも低周波な（信号レベルが変化する頻度が低い）信号が流れる（図６、図７参照）。換言すると、電気接点ＰＡ１と電気接点ＰＡ５に流れる信号は、データ通信用の電気接点ＰＡ２〜ＰＡ４に流れる信号に比べてノイズに強い。電気接点ＰＡ２〜ＰＡ４に流れる高周波信号が、他の電気接点（例えば電気接点ＰＡ９、ＰＡ１０…）に対するノイズ源となる虞を抑制するために、電気接点ＰＡ１と電気接点ＰＡ５の間に電気接点ＰＡ２〜ＰＡ４を配置している。これにより、電気接点ＰＡ２〜ＰＡ４で流れる信号と、通信用接点ＰＡ１〜ＰＡ５以外の電気接点を流れる信号とのクロストークを抑制できる。また逆に、通信用接点ＰＡ１〜ＰＡ５以外の電気接点を流れる信号と、電気接点ＰＡ２〜ＰＡ４を流れる信号とのクロストークも抑制できる。
【００５３】
また、図４（ｃ）、（ｄ）に図示した電気接点の配列において、電気接点ＰＡ４は、電気接点ＰＡ５の右側に配置されている。ここで、電気接点ＰＡ４は、ボディ制御部１１０からアクセサリ制御部３１０へクロック信号が出力される電気接点である。このように電気接点ＰＡ４が電気接点ＰＡ５の隣に配置されているのは、電気接点ＰＡ４を流れるクロック信号はデータ通信を行う際に基準となる信号を他の電気接点とのクロストークから守るためである。上述した様に、電気接点ＰＡ５はノイズに強い信号が流れているため、この電気接点ＰＡ５に流れる信号特性を利用して、相対的に上記クロストークが発生しにくい電気接点ＰＡ５の隣の位置に電気接点ＰＡ４が配置されている。
【００５４】
また、電気接点ＰＡ２は、電気接点ＰＡ１の隣に配置されている。電気接点ＰＡ２には、アクセサリ制御部３１０からボディ制御部１１０に向かう信号が流れる。前述の通り、カメラボディ１００には種々のアクセサリ３００が装着され、その電気的特性もアクセサリ３００に応じて様々である。従って、電気接点ＰＡ２に流れる信号は、例えばオーバーシュートやアンダーシュートが大きい信号など、電気的に好ましくない信号である可能性がある。上述した様に、電気接点ＰＡ１はノイズに強い信号が流れているため、この電気接点ＰＡ１に流れる信号特性を利用して、相対的に上記クロストークが発生しにくい電気接点ＰＡ１の隣の位置に電気接点ＰＡ２が配置されている。
【００５５】
また、上述した様に、電気接点ＰＡ２には電気的に好ましくない信号が流れる可能性があるため、基準となるクロック信号に影響を与える可能性を下げるために、電気接点ＰＡ２は電気接点ＰＡ４から離れた位置に配置されていることが望ましい。
【００５６】
電気接点ＰＡ３は、電気接点ＰＡ４の隣に配置されている。電気接点ＰＡ３には、ボディ制御部１１０からのデータ信号が流れ、電気接点ＰＡ４には、ボディ制御部１１０からのクロック信号が流れる。つまり、電気接点ＰＡ３に流れる信号と電気接点ＰＡ４に流れる信号は、完全に同期している。このため、隣り合わせで配置しても、互いに悪影響を及ぼす可能性が低い。これに対して、電気接点ＰＡ２に流れるデータ信号は、アクセサリ制御部３１０から出力される信号であり、クロック信号との間に若干のずれが生じる可能性がある。すなわち電気接点ＰＡ３を電気接点ＰＡ４の隣に配置することで、クロック信号に悪影響を与えたり、クロック信号から悪影響を受ける可能性を低減することができる。
【００５７】
図４（ａ）に図示したように、電気接点ＰＢ１および電気接点ＰＢ２４は、他の電気接点ＰＢ２〜ＰＢ２３に比べて、コネクタ３０１の挿入方向における長さが短くなっている。換言すると、電気接点ＰＢ２〜ＰＢ２３は、電気接点ＰＢ１と検出用接点ＰＢ２４よりも一列に並んでいる方向に対して交差（直交）する方向に突出している。このようにしたのは、コネクタ３０１の挿入時に誤動作が生じないようにするためである。また、アクセサリ３００の電気接点ＰＡと電気接点ＰＡ２４と、カメラボディ１００の電気接点ＰＢ１と電気接点ＰＢ２４が両端に配置されていることで、アクセサリ３００が直交方向から斜めに傾いた方向から挿入されて、両端の電気接点同士の接続状態が不適切な場合には通信が開始されないので、常に安定した電気接点間の接続状態のもとで通信が可能になる。
【００５８】
コネクタ３０１の挿入時、シュー座１０６の端部１０とコネクタ３０１の端部１２は、必ずしも平行にはならない虞がある。例えばコネクタ３０１とシュー座１０６との寸法のずれや、コネクタ３０１への力の掛かり具合等によって、若干の角度が付いた状態でコネクタ３０１が挿入されることがある。この場合、電気接点ＰＢ１〜ＰＢ２４が電気接点ＰＡ１〜ＰＡ２４と電気的に接続されるタイミングは、電気接点ごとに異なる。
【００５９】
本実施の形態においては、電気接点ＰＢ１および電気接点ＰＢ２４の、コネクタ３０１の挿入方向における長さを、他の電気接点ＰＢ２〜ＰＢ２３よりも短くしているので、最後に接続される電気接点は、必ず電気接点ＰＢ１または電気接点ＰＢ２４になる。
【００６０】
電気接点ＰＢ２４は着脱検知用の接点であるため、電気接点ＰＢ２４が接続されるまで、ボディ制御部１１０はアクセサリ３００の装着を認識しない。ボディ制御部１１０は、アクセサリ３００の装着を認識しなければ、アクセサリ３００との間でデータ通信を開始することがなく、誤動作が生じない。
【００６１】
電気接点ＰＢ１は、ボディ制御部１１０からアクセサリ制御部３１０への通信の開始を通知する信号が流れる電気接点である。ボディ制御部１１０がデータ通信を開始しようとしても、電気接点ＰＢ１が未接続であれば、通信開始要求はアクセサリ制御部３１０に到達せず、データ通信は開始されない。
従って、電気接点ＰＢ１かＰＢ２４の少なくとも一方が接続されていない状態では、アクセサリ３００との間でデータ通信が開始されず、誤動作が生じない。
【００６２】
図８および図９は、カメラボディ１００と第１アクセサリ３００ａの動作シーケンスを示す説明図である。図８および図９の横軸は、左から右に向かって時間の経過を示す。なお、図８および図９において、第１アクセサリ３００ａは常にカメラボディ１００に装着された状態である。
【００６３】
図８を参照して、電源オンおよび背面モニタ１０５からＥＶＦへの表示切り替えについて説明する。ユーザがカメラボディ１００の電源スイッチを導通させると、ボディ制御部１１０は起動処理の実行を開始する（時刻ｔ２１）。起動処理において、ボディ制御部１１０は、カメラボディ１００の各部を初期化する。起動処理が完了すると、すなわちカメラボディ１００の各部の初期化が完了すると、ボディ制御部１１０は、背面モニタ１０５に表示開始指示を与える（時刻ｔ２８）。背面モニタ１０５は、この表示開始指示に応じて、ライブビュー表示を開始する（時刻ｔ２９）。その後、ボディ制御部１１０は、撮像素子１０２による被写体像の撮像と表示用の画像データの作成とを繰り返し実行することで、背面モニタ１０５に被写体の画像をリアルタイムに表示する。
【００６４】
カメラボディ１００の各部の初期化中に、ボディ制御部１１０は、電気接点ＰＢ２４の電圧レベルを参照し、何らかのアクセサリ３００が装着されていることを検知する。アクセサリ３００が装着されていることを検知したボディ制御部１１０は、電気接点ＰＢ７からのアクセサリ３００への動作電力の供給を開始する（時刻ｔ２２）。この動作電力の供給により、アクセサリ制御部３１０は起動処理の実行を開始する。起動処理において、アクセサリ制御部３１０は、例えば信号変換部３１３、近接センサ３１６、液晶パネル３０３など、第１アクセサリ３００ａの各部に対して初期化処理の実行を指示する（時刻ｔ２３）。ボディ制御部１１０は、動作電力の供給を開始してから一定時間が経過すると、アクセサリ３００との間で初期通信を開始する（時刻ｔ２４）。
【００６５】
初期通信において、ボディ制御部１１０は、初期通信を示すコマンドデータをアクセサリ制御部３１０に送信する。このコマンドデータによって、アクセサリ制御部３１０からボディ制御部１１０には、第１アクセサリ３００ａの各種情報を示すデータが送信される。カメラボディ１００第１アクセサリ３００ａの各種情報とは、例えば第１アクセサリ３００ａが画像信号を入力する機能を有していることを示す情報、第１アクセサリ３００ａの種類（例えば、ＥＶＦやＧＰＳなどを示す情報）を示す情報などである。カメラボディ１００カメラボディ１００ボディ制御部１１０は、ここで得られた第１アクセサリ３００ａの情報により、信号切替部１１１に画像出力部１１０ａと画像用接点ＰＢ９〜ＰＢ２３とを接続させる。これによって、画像出力部の図示されている複数（本実施例では１０本）の電気信号線は、それぞれに対応する画像用接点ＰＢ９〜ＰＢ２３に接続される。
【００６６】
つまり、第１アクセサリ３００ａからカメラボディ１００に送信される情報によって、画像用接点ＰＡ９〜ＰＡ２３と接続するカメラボディ１００の画像用接点ＰＢ９〜ＰＢ２３の機能が特定される。換言すれば、第１アクセサリ３００ａにおいて、画像用接点ＰＡ９〜ＰＡ２３と接続するカメラボディ１００の画像用接点ＰＢ９〜ＰＢ２３の機能を特定する情報とは、電気接点ＰＡ９〜ＰＡ２３はカメラボディ１００から画像信号を出力する電気接点であるという機能を特定する情報である。
【００６７】
初期通信の後、アクセサリ制御部３１０は、カメラボディ１００に対して状態通知コマンドを送信する（時刻ｔ２５）。状態通知コマンドに付随するフラグによって、第１アクセサリ３００ａの各部の初期化状態がボディ制御部１１０に通知される。例えば、第１アクセサリ３００ａの各部の各々において、初期化が完了していればフラグ１が立ち、初期化が完了していなければフラグ０が立つ。第１アクセサリ３００ａの各部とは、例えば近接センサ３１６や信号変換部３１３などである。初期化状態が最初に通知されるとき、第１アクセサリ３００ａの各部の初期化は完了していない（すなわち各部のフラグは０が立っている）。ボディ制御部１１０は、状態通知コマンドによって、第１アクセサリ３００ａの初期化が完了しておらず、従って第１アクセサリ３００ａにまだ画像を表示させられないことを認識する。アクセサリ制御部３１０は、初期化状態が変化する度に、すなわち各部の初期化が完了する度に、カメラボディ１００に対して状態通知コマンドを送信する。例えば図８において、時刻ｔ２６には近接センサ３１６の初期化が完了したことが通知され（近接センサ３１６に対応するフラグに１が立っている）、時刻ｔ２７には信号変換部３１３の初期化が完了したことが通知される（近接センサ３１６と信号変換部３１３のそれぞれに対応するフラグに１が立っている）。このようにして、すべてのフラグに１が立っている状態通知コマンド（本実施形態においては図８の時刻ｔ２７に通知される状態通知コマンド）を受信すると、カメラ制御部１１０は第１アクセサリ３００ａの各部の初期化がすべて完了したことを認識する。
【００６８】
ボディ制御部１１０は、第１アクセサリ３００ａの初期化処理が行われている間に、ビューファインダーの表示設定コマンドをアクセサリ制御部３１０に送信する。表示設定コマンドにより、例えば液晶パネル３０３の明るさの設定値などがアクセサリ制御部３１０に送信される。これらの表示設定は、アクセサリ制御部３１０が設定値を記憶しておくだけでよいので、第１アクセサリ３００ａの各部の初期化が完了していなくても第１アクセサリ３００ａに対して送信することができる。
【００６９】
上述した状態通知コマンドにより、第１アクセサリ３００ａの初期化処理が完了したことが通知された後は、第１アクセサリ３００ａのＥＶＦ機能を利用することができるようになる。例えば近接センサ３１６がユーザの近接を検知すると、近接センサ３１６からアクセサリ制御部３１０に対してユーザの近接が通知され、アクセサリ制御部３１０はボディ制御部１１０に対してユーザの近接が検知された旨を通知する（時刻ｔ３０）。ボディ制御部１１０は、この通知により、背面モニタ１０５からＥＶＦへの表示の切替処理の実行を開始する。
【００７０】
画像出力部１１０ａは、アクセサリ制御部３１０に対応する画像信号（画像データ）の出力を開始する（時刻ｔ３１）。ここで出力される画像データは、実際の表示用画像データではなく、ダミーの画像データである。ダミーの画像データは、例えば黒で塗りつぶされた画像データである。信号変換部３１３は、画像データの出力が開始されたことに応じて、表示準備処理を実行し、液晶パネル３０３へのＶｓｙｎｃ（Ｖｅｒｔｉｃａｌ  Ｓｙｎｃｈｏｒｏｎｉｚｉｎｇ  ｓｉｇｎａｌ：垂直同期信号）の出力を開始する。ボディ制御部１１０は、アクセサリ制御部３１０に対して、ＥＶＦ表示コマンドを送信する（時刻ｔ３２）。ＥＶＦ表示コマンドとは、第１アクセサリ３００ａの液晶パネル３０３の点灯および消灯を切り替えるためのフラグ（オンフラグ、オフフラグ）や、液晶パネル３０３の表示フレームレートの設定値（例えば６０ｆｐｓや５０ｆｐｓなど）が含まれる。ボディ制御部１１０は、ＥＶＦ表示コマンドの送信と前後して、背面モニタ１０５に消灯指示を与える（時刻ｔ３３）。この消灯指示により、背面モニタ１０５の表示はオフされる（時刻ｔ３４）。アクセサリ制御部３１０は、ＥＶＦ表示コマンド（上記オンフラグを含む）により、信号変換部３１３や液晶パネル３０３への表示フレームレートの設定や、液晶パネル３０３の点灯などの処理を行う。アクセサリ制御部３１０は、ＥＶＦへのスルー画の表示が開始されると、ボディ制御部１１０にＥＶＦ表示開始通知コマンドを送信し、ＥＶＦへの表示が開始されたことを通知する（時刻ｔ３５）。ボディ制御部１１０は、この通知に応じて、背面モニタ１０５への画像信号の出力を停止する。
【００７１】
図９を参照して、ＥＶＦから背面モニタ１０５への表示切り替えおよび電源オフについて説明する。近接センサ３１６が、近接していたユーザがＥＶＦから離れたことを検知すると（時刻ｔ４０）、上述と同様の手順により、ＥＶＦから背面モニタ１０５への表示切替が行われる。すなわち、近接センサ３１６からアクセサリ制御部３１０に対してユーザがＥＶＦから離れたことを通知されることにより、アクセサリ制御部３１０はボディ制御部１１０に対してユーザがＥＶＦから離れたことが検知された旨を通知する（時刻ｔ４０）。ボディ制御部１１０は、この通知により、ＥＶＦから背面モニタ１０５への表示の切替処理の実行を開始する。
【００７２】
ボディ制御部１１０は、背面モニタ１０５への画像信号の出力を開始する（時刻ｔ４１）。ここで出力される画像信号は、実際の表示用画像データではなく、ダミーの画像データである。ボディ制御部１１０は、この画像信号の出力と前後して、背面モニタ１０５に表示開始指示を与える。背面モニタ１０５は、この指示に応じて、表示開始処理を実行する。ボディ制御部１１０は、アクセサリ制御部３１０に対して、ＥＶＦ表示コマンドを送信する（時刻ｔ４２）。アクセサリ制御部３１０は、ＥＶＦ表示コマンド（上記オフフラグを含む）により、液晶パネル３０３の消灯や、信号変換部３１３での上述の変換処理の停止などの処理を行う（時刻ｔ４３）。アクセサリ制御部３１０は、ＥＶＦの消灯が完了すると、ボディ制御部１１０にＥＶＦ表示がオフされたことを示す通知を送信する（時刻ｔ４４）。ボディ制御部１１０は、この通知に応じて、背面モニタ１０５に表示指示を与えると共に、背面モニタ１０５への表示用画像データの出力を開始する（時刻ｔ４５）。背面モニタ１０５は、この指示に応じて、スルー画の表示を開始する（時刻ｔ４６）。画像出力部１１０ａは、その後、所定のタイミングで、第１アクセサリ３００ａへの画像信号の出力を停止する（時刻ｔ４７）。
【００７３】
ユーザがカメラボディ１００の電源スイッチを導通させると、ボディ制御部１１０は電源オフ処理の実行を開始する（時刻ｔ４８）。電源オフ処理において、ボディ制御部１１０は、カメラボディ１００の各部の動作を停止させる。例えばボディ制御部１１０は、背面モニタ１０５に対して、表示オフ指示を与える。背面モニタ１０５は、この指示に応じて、表示画面を消灯し、スルー画の表示を停止する（時刻ｔ４９）。
【００７４】
ボディ制御部１１０は、電源オフ処理の実行中に、第１アクセサリ３００ａに対して電源オフコマンドを送信する（時刻ｔ４９）。アクセサリ制御部３１０は、電源オフコマンドを受信すると、第１アクセサリ３００ａの各部を順次オフする。ボディ制御部１１０は、電源オフコマンドを送信してから所定時間が経過する時刻ｔ５０までの間、第１アクセサリ３００ａへの動作電力の供給を停止しない。アクセサリ制御部３１０は、この所定時間の間に、必要な終了処理を実行する。電源オフ処理が完了すると、ボディ制御部１１０は第１アクセサリ３００ａへの動作電力の供給を停止し、自身の動作を停止する（時刻ｔ５０）。
【００７５】
次に、ＥＶＦのフレームレート設定の切替処理について説明する。例えば５０ｆｐｓの動画撮影を開始した場合や、５０ｆｐｓで撮影された動画を再生する場合には、ＥＶＦの表示フレームレートを５０ｆｐｓに設定することが望ましい。スルー画を６０ｆｐｓで表示しているときに上記の動作を開始する場合には、ＥＶＦの表示フレームレートを６０ｆｐｓから５０ｆｐｓに切り替える必要がある。フレームレート設定の切替処理は、このようにＥＶＦの表示フレームレートを切り替える処理である。
【００７６】
ボディ制御部１１０は、フレームレート設定の切替処理において、まずＥＶＦ表示コマンドを送信する。ＥＶＦ表示コマンドのコマンド部分は、ボディ制御部１１０からＥＶＦ表示に関するコマンドを送信する。ＥＶＦ表示コマンドのデータ部分は、ＥＶＦ表示をオンするフラグとオフするフラグとが択一的に含まれており、また次にＥＶＦを表示させるフレームレートのフラグを含む。このＥＶＦ表示コマンドのデータ部分のＥＶＦ表示をオフするフラグに応じて、アクセサリ制御部３１０はＥＶＦの表示をオフする。アクセサリ制御部３１０はＥＶＦの表示をオフすると、信号変換部３１３を初期化する。アクセサリ制御部は、信号変換部３１３の初期化が完了すると、上述のＥＶＦ表示コマンドのデータ部分のフレームレートのフラグに応じて、次にＥＶＦに表示すべきフレームレートを設定する。そして、アクセサリ制御部３１０は、信号変換部３１３の初期化が完了したことを示す通知をボディ制御部１１０に通知する。
【００７７】
ボディ制御部１１０は、アクセサリ制御部３１０からの初期化が完了したことを示す通知を受けて、ＥＶＦ表示コマンドを送信するとともに、画像データの送信を開始する。この時、画像データは上述のフレームレートで出力される。アクセサリ制御部３１０は、ＥＶＦ表示コマンドのデータ部分のＥＶＦ表示をオンするフラグに応じて、ＥＶＦの表示をオンにする。このＥＶＦの表示オンの動作とともに、アクセサリ制御部３１０は受信した画像データを上述の初期化後に設定したフレームレートでＥＶＦに表示する。アクセサリ制御部は、ＥＶＦへのスルー画の表示が開始されると、ボディ制御部１１０へＥＶＦの表示が開始されたことを通知する。
以上が、ＥＶＦ表示のフレームレート設定の切替処理である。
【００７８】
図１０は、カメラボディ１００と第２アクセサリ３００ｂの構成を模式的に示すブロック図である。第２アクセサリ３００ｂは、閃光装置であり、被写体に撮影補助光を発光する。図１０に示す通り、第２アクセサリ３００ｂのコネクタ３０１ｂには、カメラボディ１００に設けられた電気接点ＰＳＢ１〜ＰＳＢ４に対応する電気接点ＰＳＡ１〜ＰＳＡ４が設けられている。第２アクセサリ３００ｂのコネクタ３０１ｂには、第１アクセサリ３００ａに設けられていた電気接点ＰＡ１〜ＰＡ２４は設けられていない。
【００７９】
第２アクセサリ３００ｂは、発光部３１７を備える。発光部３１７は、電気接点ＰＳＡ１〜ＰＳＡ４を介してカメラボディ１００から発光に必要な電力の供給を受ける。発光部３１７は、電気接点ＰＳＡ１〜ＰＳＡ４を介してカメラボディ１００から発光タイミングを指示されると、被写体に対して撮影補助光を発光する。
【００８０】
図１１は、カメラボディ１００と第３アクセサリ３００ｃの構成を模式的に示すブロック図である。第３アクセサリ３００ｃは、ＧＰＳ（全地球測位システム）受信機である。第３アクセサリ３００ｃのコネクタ３０１ｃには、第１アクセサリ３００ａと同様に、電気接点ＰＡ１〜ＰＡ２４が設けられており、第２アクセサリ３００ｂが有していた電気接点ＰＳＡ１〜ＰＳＡ４は設けられていない。
【００８１】
第３アクセサリ３００ｃは、アクセサリ制御部３１０ｃおよびＧＰＳモジュール３１８を備える。ＧＰＳモジュール３１８は、人工衛星から測距用の電波を受信して位置情報（例えば緯度と経度）を演算し、演算した位置情報をアクセサリ制御部３１０ｃに送信する。アクセサリ情報部３１０は、ＧＰＳモジュール３１８から受信した位置情報を、通信用接点ＰＡ１〜ＰＡ５を介したデータ通信によりボディ制御部１１０に送信する。
【００８２】
第３アクセサリ３００ｃは、画像信号を送受信する機能を有していない。そのため、第３アクセサリ３００ｃの画像用接点ＰＡ９〜ＰＡ２３は、いずれも第３アクセサリ３００ｃ内の電気回路とは接続されていない。すなわち第３アクセサリ３００ｃは、画像用接点ＰＡ９〜ＰＡ２３を使用しない。なお、ボディ制御部１１０は、第３アクセサリ３００ｃとの初期通信において、第３アクセサリ３００ｃがＧＰＳであることを認識するとともに、電気接点ＰＢ９〜ＰＢ２３は機能（使用）しない電気接点であることを認識する。
【００８３】
図１２は、カメラボディ１００と第４アクセサリ３００ｄの構成を模式的に示すブロック図である。第４アクセサリ３００ｄは、補助撮像装置である。第４アクセサリ３００ｄは、アクセサリ制御部３１０ｄおよびカメラモジュール３１９を備える。カメラモジュール３１９は、撮像光学系および撮像装置から成り、被写体像を撮像して画像信号を出力する。すなわち第４アクセサリ３００ｄは、外付けのカメラユニットである。
【００８４】
ボディ制御部１１０は、初期通信により、第４アクセサリ３００ｄの各種情報を示すデータを受信する。第４アクセサリ３００ｄの各種情報には、例えば第４アクセサリ３００ｄが画像信号を出力する機能を有していることを示す情報が含まれる。ボディ制御部１１０は、ここで得られた第４アクセサリ３００ｄの情報により、信号切替部１１１に画像入力部１１０ｂと画像用接点ＰＢ９〜ＰＢ２３とを接続させる。これによって、画像入力部の図示されている複数（本実施例では１０本）の電気信号線は、それぞれに対応する画像用接点ＰＢ９〜ＰＢ２３に接続される。
【００８５】
つまり、初期通信において第４アクセサリ３００ｄからカメラボディ１００に送信される情報よって、画像用接点ＰＡ９〜ＰＡ２３と接続するカメラボディ１００の画像用接点ＰＢ９〜ＰＢ２３の機能が特定される。換言すれば、第４アクセサリ３００ｄにおいて、画像用接点ＰＡ９〜ＰＡ２３と接続するカメラボディ１００の画像用接点ＰＢ９〜ＰＢ２３の機能を特定する情報とは、電気接点ＰＡ９〜ＰＡ２３はカメラボディ１００から画像信号を入力する電気接点であるという機能を特定する情報である。
【００８６】
カメラモジュール３１９は、画像用接点ＰＡ８〜ＰＡ２３を介して信号切替部１１１に画像信号を出力する。信号切替部１１１は、この画像信号を画像入力部１１０ｂに出力する。画像入力部１１０ｂは、この画像信号を例えば背面モニタ１０５に表示したり、不図示の記憶媒体に記憶したりする。
【００８７】
図１３は、カメラボディ１００と第５アクセサリ３００ｅの構成を模式的に示すブロック図である。第５アクセサリ３００ｅは、閃光装置を内蔵したＥＶＦユニットである。すなわち第５アクセサリ３００ｅは、前述した第１アクセサリ３００ａの機能と第２アクセサリ３００ｂの機能とを兼ね備えたアクセサリであり、第１アクセサリ３００ａが有していた各部と、第２アクセサリ３００ｂが有していた各部とを共に有している。第５アクセサリ３００ｅのコネクタ３０１ｅには、電気接点ＰＡ１〜ＰＡ２４と、電気接点ＰＳＡ１〜ＰＳＡ４とが共に設けられている。各部の構成や各部の動作は前述した第１アクセサリ３００ａと第２アクセサリ３００ｂと同様であるため、説明を省略する。
【００８８】
上述した実施の形態によれば、次の作用効果が得られる。
（１） 例えば第１アクセサリ３００ａには、一列に配列する複数の電気接点ＰＡ１〜ＰＡ２４が設けられている。それら複数の電気接点ＰＡ１〜ＰＡ２４は、カメラボディ１００との通信開始を示す第１信号をカメラボディ１００から入力する電気接点ＰＡ１と、カメラボディ１００に対して第１信号の出力を促す第２信号をカメラボディ１００に対して出力する電気接点ＰＡ５と、カメラボディ１００との間でデータ通信を行うための通信用接点ＰＡ２〜ＰＡ４とを有し、電気接点ＰＡ１と電気接点ＰＡ５との間に、通信用接点ＰＡ２〜ＰＡ４が配置される。このようにしたので、データ通信に際して生じるノイズに強いアクセサリを提供することができる。
【００８９】
（２） 通信用接点ＰＡ２〜ＰＡ４は、カメラボディ１００との間でデータのやり取りを行うためのデータ通信用接点ＰＡ２，ＰＡ３と、所定の周期で入力するクロック信号用接点ＰＡ４とを含み、クロック信号用接点ＰＡ４は、データ通信用接点ＰＡ２，ＰＡ３より電気接点ＰＡ５に近い位置に配置されている。このようにしたので、データ信号とクロック信号との間で悪影響が生じる可能性を下げることができる。
【００９０】
（３） データ通信用接点ＰＡ２，ＰＡ３は、カメラボディ１００から出力されたデータ信号を入力する入力用接点ＰＡ３と、カメラボディ１００に対してデータ信号を出力する出力用接点ＰＡ２とを含み、入力用接点ＰＡ３は、出力用接点ＰＡ２よりも電気接点ＰＡ５に近い位置に配置されている。このようにしたので、データ信号がクロック信号に悪影響を与えたりクロック信号から悪影響を受ける可能性を低減することができる。
【００９１】
（４） カメラボディ１００と通信をしていない時は、電気接点ＰＡ１に入力する信号と電気接点ＰＡ５に出力する信号はＨレベルであり、通信をしている時は、電気接点ＰＡ１に入力する信号と電気接点ＰＡ５に出力する信号はＬレベルである。第１アクセサリ３００ａは、電気接点ＰＡ５から出力する信号のレベルを制御するアクセサリ制御部３１０を備え、アクセサリ制御部３１０は、電気接点ＰＡ１から入力する信号のレベルがＬレベルを継続している時に、電気接点ＰＡ５から出力する信号のレベルをＬレベルからＨレベルに切り替え、かつＬレベルに戻るように制御する。このようにしたので、通信シーケンスに含まれる個々の通信動作を着実に進めることができる。
【００９２】
（５） 第１アクセサリ３００ａは、カメラボディ１００との着脱を検出する検出用接点ＰＡ２４を備える。電気接点ＰＡ１と電気接点ＰＡ５と通信用接点ＰＡ２〜ＰＡ４と検出用接点ＰＡ２４とは一列に配置され、電気接点ＰＡ１と検出用接点ＰＡ２４の２つの接点は、一列の両端に配置されている。このようにしたので、アクセサリ３００の挿入時に直交方向から斜めに傾いた方向から挿入される状態や、電気接点の一部が接続され残りが接続されていない状態で、アクセサリ３００との間でデータ通信を開始することがなく、誤動作が生じない。
【００９３】
（６） 例えば第１アクセサリ３００ａには、一列に配列する複数の電気接点ＰＡ１〜ＰＡ２４が設けられている。それら複数の電気接点ＰＡ１〜ＰＡ２４は、カメラボディ１００との通信開始を示す第１信号をカメラボディ１００から入力する電気接点ＰＡ１と、カメラボディ１００との着脱を検出する検出用接点ＰＡ２４と、電気接点ＰＡ１と検出用接点ＰＡ２４との間に一列に配列された他の電気接点ＰＡ２〜ＰＡ２３とを有し、電気接点ＰＡ１と検出用接点ＰＡ２４の２つの接点は、一列の両端に配置されている。このようにしたので、両端の電気接点同士の接続状態が不適切な状態や、電気接点の一部が接続され残りが接続されていない状態で、アクセサリ３００との間でデータ通信を開始することがなく、誤動作が生じない。
【００９４】
（７） 検出用接点ＰＡ２４は、第１アクセサリ３００ａにおいてグラウンド電位が与えられる。このようにしたので、第１アクセサリ３００ａの着脱を簡素な構成で検知することができる。
【００９５】
（８） カメラボディ１００は、アクセサリ３００が着脱可能な撮像装置であって、一列に配列する複数の電気接点ＰＢ１〜ＰＢ２４が設けられている。複数の電気接点ＰＢ１〜ＰＢ２４は、アクセサリ３００との通信開始を示す第１信号をアクセサリ３００に出力する電気接点ＰＢ１と、アクセサリ３００から第１信号を出力することを要求する第２信号がアクセサリ３００から入力する電気接点ＰＢ５と、アクセサリ３００との間でデータ通信を行うための通信用接点ＰＢ２〜ＰＢ４とを有し、電気接点ＰＢ１と電気接点ＰＢ５との間に、通信用接点ＰＢ２〜ＰＢ４が配置される。このようにしたので、データ通信に際して生じるノイズに強いアクセサリを提供することができる。
【００９６】
（９） 複数の電気接点ＰＢ１〜ＰＢ２４は、アクセサリ３００の着脱を検出する検出用接点ＰＢ２４と、電気接点ＰＢ１と検出用接点ＰＢ２４との間に他の電気接点ＰＢ２〜ＰＢ２３とを有し、電気接点ＰＢ１と検出用接点ＰＢ２４の２つの接点は、一列の両端に配置されている。このようにしたので、両端の電気接点同士の接続状態が不適切な状態や、電気接点の一部が接続され残りが接続されていない状態で、アクセサリ３００との間でデータ通信を開始することがなく、誤動作が生じない。
【００９７】
（１０）  カメラボディ１００は、アクセサリ３００が着脱可能な撮像装置であって、一列に配列する複数の電気接点ＰＢ１〜ＰＢ２４が設けられている。複数の電気接点ＰＢ１〜ＰＢ２４は、アクセサリ３００との通信開始を示す第１信号をアクセサリ３００に出力する電気接点ＰＢ１と、アクセサリ３００の着脱を検出する検出用接点ＰＢ２４と、電気接点ＰＢ１と検出用接点ＰＢ２４との間に他の電気接点ＰＢ２〜ＰＢ２３とを有し、電気接点ＰＢ１と検出用接点ＰＢ２４の２つの接点は、一列の両端に配置されている。このようにしたので、両端の電気接点同士の接続状態が不適切な状態や、電気接点の一部が接続され残りが接続されていない状態で、アクセサリ３００との間でデータ通信を開始することがなく、誤動作が生じない。
【００９８】
（１１） 電気接点ＰＢ２〜ＰＢ２３は、電気接点ＰＢ１と検出用接点ＰＢ２４よりも一列に並んでいる方向に対して直交する方向に突出している。このようにしたので、電気接点の一部が接続され残りが接続されていない状態で、アクセサリ３００との間でデータ通信を開始することがなく、誤動作が生じない。
【００９９】
（１２） 第１アクセサリ３００ａおよび第４アクセサリ３００ｄは、カメラボディ１００の電気接点ＰＢ１〜ＰＢ５、ＰＢ９〜ＰＢ２３のそれぞれと接続する電気接点ＰＡ１〜ＰＡ５、ＰＡ９〜ＰＡ２３を備える。アクセサリ制御部３１０は、電気接点ＰＡ１〜ＰＡ５を介して、電気接点ＰＡ９〜ＰＡ２３と接続するカメラボディ１００の電気接点ＰＢ９〜ＰＢ２３の機能を特定する情報を、カメラボディ１００に送信する。このようにしたので、カメラボディ１００とアクセサリ３００を種々の組み合わせで利用することが可能になる。
【０１００】
（１３） カメラボディ１００の電気接点ＰＢ９〜ＰＢ２３の機能を特定する情報とは、電気接点ＰＡ９〜ＰＡ２３はカメラボディ１００から画像信号を出力する電気接点であるという機能を特定する情報であり、第１アクセサリ３００ａは、カメラボディ１００から電気接点ＰＡ９〜ＰＡ２３を介して画像信号を受信する。このようにしたので、カメラボディ１００からの画像信号の受信を好適に行うことができる。
【０１０１】
（１４） カメラボディ１００の電気接点ＰＢ９〜ＰＢ２３の機能を特定する情報とは、電気接点ＰＡ９〜ＰＡ２３はカメラボディ１００から画像信号が入力される電気接点であるという機能を特定する情報であり、第４アクセサリ３００ｄは、カメラボディ１００に対して電気接点ＰＡ９〜ＰＡ２３を介して画像信号を送信する。このようにしたので、カメラボディ１００への画像信号の送信を好適に行うことができる。
【０１０２】
（１５） 第４アクセサリ３００ｄは、被写体像を撮像して画像信号を出力するカメラモジュール３１９を備える。第４アクセサリ３００ｄは、カメラモジュール３１９により出力された画像信号を、カメラボディ１００に対して電気接点ＰＡ９〜ＰＡ２３を介して送信する。このようにしたので、カメラボディ１００への画像信号の送信を好適に行うことができる。
【０１０３】
（１６） アクセサリ制御部３１０は、カメラボディ１００の複数の電気接点ＰＢ９〜ＰＢ２３に割り当てることが可能な複数の機能と各電気接点との組合せから１つの組合せを選択するために、電気接点ＰＡ１〜ＰＡ５を介してアクセサリ３００の種類を識別する情報を送信する。このようにしたので、カメラボディ１００とアクセサリ３００を種々の組み合わせで利用することが可能になる。
【０１０４】
（１７） カメラボディ１００は、第１アクセサリ３００ａの電気接点ＰＡ１〜ＰＡ５、ＰＡ９〜ＰＡ２３とそれぞれ接続する電気接点ＰＢ１〜ＰＢ５、ＰＢ９〜ＰＢ２３を備える。ボディ制御部１１０は、第１アクセサリ３００ａから電気接点ＰＢ１〜ＰＢ５を介して、電気接点ＰＢ９〜ＰＢ２３の機能を特定する情報を受信する。このようにしたので、カメラボディ１００とアクセサリ３００を種々の組み合わせで利用することが可能になる。
【０１０５】
（１８） ボディ制御部１１０は、電気接点ＰＢ１〜ＰＢ５を介してアクセサリ３００の種類を識別する情報を受信し、その情報から、複数の電気接点ＰＢ９〜ＰＢ２３に割り当てることが可能な複数の機能と各電気接点の組合せから１つの組合せを選択する。このようにしたので、カメラボディ１００とアクセサリ３００を種々の組み合わせで利用することが可能になる。
【０１０６】
次のような変形も本発明の範囲内であり、変形例の一つ、もしくは複数を上述の実施形態と組み合わせることも可能である。
（変形例１）
上述した電気接点の配列は一例であり、これとは異なる配列とすることも可能である。電気接点ＰＡ１〜ＰＡ５の配列において、電気接点ＰＡ２〜ＰＡ４の配列については任意のすべての組み合わせで変更可能である。例えば、通信用接点ＰＡ１〜ＰＡ５を、ＰＡ１、ＰＡ３、ＰＡ４、ＰＡ２、ＰＡ５、または、ＰＡ１、ＰＡ３、ＰＡ２、ＰＡ４、ＰＡ５、または、ＰＡ１、ＰＡ２、ＰＡ４、ＰＡ３、ＰＡ５、または、ＰＡ１、ＰＡ４、ＰＡ２、ＰＡ３、ＰＡ５、またはＰＡ１、ＰＡ４、ＰＡ３、ＰＡ２、ＰＡ５の記載順に配列することも可能である。
【０１０７】
（変形例２）
図４では、シュー座１０６に設けられたカメラボディ側の電気接点ＰＢ１，ＰＢ２４を他の電気接点ＰＢ２〜ＰＢ２３よりも短くしていたが、コネクタ３０１に設けられたアクセサリ側の電気接点ＰＡ１，ＰＡ２４を他の電気接点ＰＡ２〜ＰＡ２３より短くしてもよい。そのようにしても、カメラボディ側の電気接点ＰＢ１，ＰＢ２４を短くした場合と同様の効果が得られる。
【０１０８】
（変形例３）
近接センサ３１６の代わりに、ユーザがオンオフ操作可能なＥＶＦ表示切替用のスイッチを設けてもよい。この場合、ユーザの近接や非近接を検知する代わりに、スイッチのオンオフを検知することで、背面モニタ１０５とＥＶＦとの表示切替を行う。また、近接センサ３１６とスイッチとを共に設けてもよい。
【０１０９】
（変形例４）
ボディ制御部１１０が、ユーザ設定に応じて、近接センサ３１６によるユーザの近接や非近接の検知を無視するようにしてもよい。例えば、ＥＶＦ表示固定モードが設定されている場合、近接センサ３１６による検知結果によらず、常にＥＶＦにスルー画を表示するようにしてもよい。
【０１１０】
（変形例５）
画像用接点ＰＡ９〜ＰＡ２３を、画像信号以外の信号の送受信のために用いてもよい。例えば、通常のアクセサリよりも大きな電力を消費するアクセサリにおいては、画像用接点ＰＡ９〜ＰＡ２３の一部が追加の電力供給を受けるために用いられてもよい。この場合、信号切替部１１１が、画像出力部１１０ａや画像入力部１１０ｂとは別に、追加の電力を供給する電源回路と画像用接点ＰＡ９〜ＰＡ２３との接続を切り替える。
【０１１１】
図１４に、画像用接点ＰＡ９〜ＰＡ２３を、画像信号以外の信号の送受信のために用いる第６アクセサリ３００ｆと、第６アクセサリ３００ｆに対応させたカメラボディ１００の構成を示す。カメラボディ１００は、追加の動作電力を供給する電源回路１１２を備える。信号切替部１１１は、電源回路１１２と、画像出力部１１０ａと、画像入力部１１０ｂのうち、いずれか１つを、画像用接点ＰＢ９〜ＰＢ２３に接続する。第６アクセサリ３００ｆは、大電力を消費する大電力消費部３２１を有している。大電力消費部３２１は、電気接点ＰＡ９を介して、電源回路１１２により供給される追加の動作電力を受電する。
【０１１２】
初期通信において、第６アクセサリ３００ｆのアクセサリ制御部３１０は、電気接点ＰＡ１〜ＰＡ５を介して、電気接点ＰＡ９〜ＰＡ２３と接続するカメラボディ１００の電気接点ＰＢ９〜ＰＢ２３の機能を特定する情報を、カメラボディ１００に送信する。第６アクセサリ３００ｆの場合、カメラボディ１００の電気接点ＰＢ９〜ＰＢ２３の機能を特定する情報とは、電気接点ＰＡ９〜ＰＡ２３はカメラボディ１００から追加の動作電力（所定の電源電圧）が供給される電気接点であるという機能を特定する情報である。カメラボディ１００のボディ制御部１１０は、この情報を受信すると、信号切替部１１１に電源回路１１２と画像用接点ＰＢ９とを接続させる。
【０１１３】
（変形例６）
ボディ制御部１１０の信号切替部１１１は、初期通信においてＰＢ９〜ＰＢ２３の電気接点の役割を示す情報を受信する。電気接点の役割を示す情報とは、カメラボディ１００内のどの回路に電気接点ＰＢ９〜ＰＢ２３を接続させるかを示す情報である。
【０１１４】
なお上記では、電気接点の一列の配置は、図４に図示するように、直線状に一列に配置されているが、このように直線上の一列の配置に限らなくてもよい。例えば、図１５（ａ）に図示するように、電気接点はＶ字状に一列に配置されていてもよい。また、図１５（ｂ）に図示するように、電気接点は円弧状に一列に配置されていてもよい。図１５ではアクセサリ側の電気接点を例示したが、カメラボディ側の電気接点についても同様である。
【０１１５】
なお上記では、カメラボディ１００には交換レンズ２００が着脱可能なカメラシステムについて説明したが、本発明はこのようなカメラシステムに限らず、レンズが一体型のカメラボディであってもよい。
【０１１６】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【０１１７】
１…カメラシステム、１００…カメラボディ、２００…交換レンズ、３００…アクセサリ
【図１】
2017151161.tif 000003
【図２】
2017151161.tif 000004
【図３】
2017151161.tif 000005
【図４】
2017151161.tif 000006
【図５】
2017151161.tif 000007
【図６】
2017151161.tif 000008
【図７】
2017151161.tif 000009
【図８】
2017151161.tif 000010
【図９】
2017151161.tif 000011
【図１０】
2017151161.tif 000012
【図１１】
2017151161.tif 000013
【図１２】
2017151161.tif 000014
【図１３】
2017151161.tif 000015
【図１４】
2017151161.tif 000016
【図１５】
2017151161.tif 000017